【事件の表示】
　特願２０１２−　５７７２２「電力変換装置、突入電流抑制回路、及び突入電流抑制方法」拒絶査定不服審判事件〔平成２５年　９月２６日出願公開、特開２０１３−１９２３９７、請求項の数（６）〕について、次のとおり審決する。
【結　論】
　原査定を取り消す。
　本願の発明は、特許すべきものとする。
【理　由】
第１　手続の経緯
　本願は、平成２４年３月１４日の出願であって、平成２７年８月２０日付けで拒絶理由が通知され、同年１０月２３日付けで手続補正がされ、平成２８年３月２２日付けで拒絶査定（原査定）がされ、これに対し、同年６月２２日に拒絶査定不服審判が請求されると同時に手続補正がされたものである。
第２　原査定の概要
　原査定（平成２８年３月２２日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項　１
・引用文献等　１−３
　引用例１には、第１入力端子（１）と第２入力端子（３）との間に接続された入力コンデンサ（C1）を有する電力変換装置（４、等）であって、抵抗（R1）と半導体素子（Q1）と、スイッチ（Q2）と、直流入力の投入（ＳＷｏｎ）から所定期間（Ｖｒ７＞ＶＱ２ｔｈの期間）が経過するまでスイッチ（Q2）を閉成させ、所定期間の経過後、スイッチ（Q2）を開放させると共に、半導体素子（Q1）を導通させる制御部（B）とを備えることが記載されている（［００１０］−［００３２］段落、図２、５−７、等参照。）。
　引用例１のものは、半導体素子は寄生容量を有することについては言及していない点で請求項１のものと相違する。しかしながら、半導体素子が寄生容量を有することは、周知の事項である（引用例２（［０００４］段落）、等参照。）。
よって、引用例１のものにおいても、半導体素子は寄生容量を有していることは、当業者にとって明らかである。
　さらに、引用例１のものは、スイッチがｂ接点でない点において、請求項１のものと相違する。しかしながら、スイッチとしてどのようなものを用いるかは、当業者が適宜選択し得る事項である。引用例３には、スイッチがｂ接点（ノーマリークローズタイプ）であるものが記載されており、このスイッチを引用例１のものに適用することは、当業者にとって困難ではない。
　よって、請求項１に係る発明は、引用例１、３に記載された発明及び引用例２に記載された周知の事項に基づいて、当業者であれば容易になし得たものであるから、依然として、特許法第２９条第２項の規定により特許を受けることができない。
・請求項　２
・引用文献等　１−３
　請求項２に係る発明についても、引用例１、３に記載された発明及び引用例２に記載された周知技術から、拒絶理由を覆すに足りる根拠が見出せない。
・請求項　３
・引用文献等　１−３
・備考　
　請求項３に係る発明についても、引用例１、３に記載された発明及び引用例２に記載された周知技術から、拒絶理由を覆すに足りる根拠が見出せない。
・請求項　４−６
・引用文献等　１−４
・備考　
　請求項４−６に係る発明についても、引用例１、３、４に記載された発明及び引用例２に記載された周知技術から、拒絶理由を覆すに足りる根拠が見出せない。
　　　　　　　　　　　　　　＜引用文献等一覧＞
１.特開平11−289657号公報
２.特開2004−112987号公報（周知技術を示す文献）
３.実願平3−69489号（実開平5−23793号）のＣＤ−ＲＯＭ
４.特開2005−33940号公報
第３　審判請求時の補正について
　審判請求時の補正のうち、特許請求の範囲に関する補正事項は、補正前の請求項１，５，６に記載のあった発明を特定するために必要な事項である「所定時間」を「突入電流が消失した状態になるまでの所定時間」に限定するとともに、「前記スイッチを開放させると共に前記半導体素子を導通させる」を「前記スイッチを開放させると共に、当該当該スイッチを開放した後に一定の時間をおいて前記半導体素子を導通させる」と限定したものであり、かつ、補正の前後において、請求項１，５，６の産業上の利用分野及び解決しようとする課題は同一であるから、特許法第１７条の２第５項第２号の特許請求の範囲の減縮を目的とするものに該当する。
　また、特許法第１７条の２第３項、第４項に違反するところはない。
　そして、「第４　本願発明」から「第６　当審の判断」までに示すように、補正後の請求項１〜６に係る発明は、独立特許要件を満たす（特許法第１７条の２第６項において準用する同法第１２６条第７項の規定に適合する）ものである。
第４　本願発明
　本願請求項１〜６に係る発明（以下、それぞれ「本願発明１」〜「本願発明６」という。）は、平成２８年６月２２日付けの手続補正で補正された特許請求の範囲の請求項１〜６に記載された事項により特定される発明であり、以下のとおりの発明である。
「【請求項１】
　第１入力端子と第２入力端子との間に接続された入力コンデンサを有し、前記第１入力端子と第２入力端子との間に印加される直流入力を電力変換して所望の直流出力を発生させる電力変換装置であって、
　前記入力コンデンサの充電経路上に設けられ、前記直流入力が投入された際に前記充電経路に発生する突入電流を抑制するための抵抗と、
　前記抵抗と並列接続された半導体素子と、
　ｂ接点であり、前記半導体素子の入力端子と制御端子との間に接続されたスイッチと、
　前記直流入力の投入から
前記突入電流が消失した状態になるまでの
、当該スイッチを開放した後に一定の時間をおいて
　前記半導体素子は寄生容量を有する、電力変換装置。
　　【請求項２】
　前記制御部は、
　前記直流入力の投入を検知する検知部と、
　前記検知部により前記直流入力の投入が検知された場合、前記所定期間の計時を開始する計時部と、
　前記計時部による前記所定期間の計時が終了した場合、前記スイッチを開放させるための第１制御信号を前記スイッチに供給すると共に、前記半導体素子を導通させるための第２制御信号を前記半導体素子の制御端子に供給する信号発生部と
　を備えた、請求項１に記載の電力変換装置。
　　【請求項３】
　前記スイッチはフォトモスリレーから構成された、請求項１または２に記載の電力変換装置。
　　【請求項４】
　前記半導体素子は電界効果トランジスタである、請求項１から３の何れか１項に記載の電力変換装置。
　　【請求項５】
　第１入力端子と第２入力端子との間に接続された入力コンデンサを有し、前記第１入力端子と第２入力端子との間に印加される直流入力を電力変換して所望の直流出力を発生させる電力変換装置における突入電流抑制回路であって、
　前記入力コンデンサの充電経路上に設けられ、前記直流入力が投入された際に前記充電経路に発生する突入電流を抑制するための抵抗と、
　前記抵抗と並列接続された半導体素子と、
　ｂ接点であり、前記半導体素子の入力端子と制御端子との間に接続されたスイッチと、
　前記直流入力の投入から
前記突入電流が消失した状態になるまでの
、当該スイッチを開放した後に一定の時間をおいて
　前記半導体素子は寄生容量を有する、突入電流抑制回路。
　　【請求項６】
　第１入力端子と第２入力端子との間に接続された入力コンデンサを有し、前記第１入力端子と第２入力端子との間に印加される直流入力を電力変換して所望の直流出力を発生させる電力変換装置において、前記入力コンデンサの充電に伴って発生する突入電流を抑制するための突入電流抑制方法であって、
　前記入力コンデンサの充電経路上に設けられた抵抗により前記充電経路に発生する突入電流を抑制する段階と、
　前記抵抗と並列接続された半導体素子の入力端子と制御端子との間に接続されたスイッチを前記直流入力の投入から
前記突入電流が消失した状態になるまでの
、当該スイッチを開放した後に一定の時間をおいて
　を含み、
　前記半導体素子は寄生容量を有する、突入電流抑制方法。」（下線部は、補正箇所。）
第５　引用文献、引用発明等
１．引用文献について
　原査定の拒絶の理由に引用された、特開平１１−２８９６５７号公報（以下、「引用例」という。）には、図面とともに以下の事項が記載されている。
ａ）「【請求項３】
主電源からの直流電圧を突入電流抑止手段を介して後段に接続された電子回路に供給するようにした突入電流抑止装置において、前記突入電流抑止手段は、前記主電源と前記電子回路の間に設けられたＤＣ／ＤＣコンバータ
４
と、このＤＣ／ＤＣコンバータ
４
の出力端子と前記主電源の負側間に抵抗
Ｒ５
を介して接続された抵抗
Ｒ６
と、前記抵抗
Ｒ５
と
Ｒ６
の中間にゲート電極が接続され、前記主電源の負側に直列に接続された抵抗
Ｒ１
の両端を挟んでソース電極とドレイン電極が接続されたトランジスタ
Ｑ１
と、このトランジスタ
Ｑ１
のゲート電極にドレイン電極が前記主電源の負側にソース電極が接続され、ゲート電極が前記主電源の投入の有無を検出するコンデンサ
Ｃ４
と抵抗
Ｒ７
からなる微分手段に接続されたトランジスタ
Ｑ２
を設けたことを特徴とする突入電流抑止装置
ｂ）「【０００１】
【発明の属する技術分野】本発明は、
電気機器の電源回路において、主電源スイッチを投入したときに発生する突入電流を抑止するための突入電流抑止装置
【０００２】
【従来の技術】突入電流は主電源スイッチを投入したときや、瞬時の停電が発生したときに発生する。突入電流が大きいと電源スイッチが溶着することがあり、これを小さくする必要がある。
【０００３】突入電流を抑止する従来技術としては図１３，図１４に示すものが知られている。図１３において、１は主電源、２は突入電流抑止手段、３は電子回路であり、この例では突入電流が流れる経路の正側と負側に直列に抵抗Ｒ１およびＲ２を接続している。
Ｃ１は電子回路３がスイッチング電源である場合にリップル電流を除去するためのコンデンサ
ｃ）「【００１２】図２は本発明の他の実施例を示すものである。図２において、１は主電源、２ｃは突入電流抑止手段、３は電子回路であり、この実施例では電子回路３の前段に配置されたＤＣ／ＤＣコンバータ４を含んで突入電流抑止手段２ｃを構成している。ここで、ＤＣ／ＤＣコンバータ４と電源１の負側に設けられたコンデンサＣ８は交流成分カット素子として機能する。
【００１３】ＤＣ／ＤＣコンバータ４の出力は抵抗Ｒ５を介してコンデンサＣ３の一端に接続されており、このコンデンサＣ３の他端が電源１の基準点Ａに接続されている。抵抗Ｒ６は抵抗Ｒ５とコンデンサＣ３の間に一端が接続され、他端が基準点Ａに接続されている。抵抗Ｒ５とコンデンサＣ３の間にはトランジスタＱ１のゲート電極が接続され、このトランジスタＱ１のソース電極とドレイン電極は基準点Ａに一端が接続され他端がコンデンサＣ１に接続された抵抗Ｒ１の両端を挟んで主電源１の負側に接続されている。
【００１４】ここで、例えば入力電圧を３２Ｖ，Ｒ１＝１Ω，Ｑ１のオン抵抗＝０．０３Ωオフ抵抗＝∞とし、ＤＣ／ＤＣコンバータ４の出力を１８Ｖに設計すると、突入電流抑止回路のタイムチャートは図３（ａ）〜（h）に示すようなものとなる。なお、最下段の数値は時間（数ｍ〜数十ｍ）の経過を示している。図において、
【００１５】（ａ）は入力電圧であり、スイッチＳＷ投入時に３２Ｖに達する。（ｂ）は抵抗Ｒ１の両端電圧で、この抵抗Ｒ１の両端電圧は（コンデンサＣ１が充電されるに従い）Ｒ１に流れる電流が減るので時間の経過と共に低下する（トランジスタＱ１のゲート・ソース電圧が閾値を超えることでＱ１が導通するとＲ１の両端電圧がほぼ完全に零となる）。（ｃ）はコンデンサＣ１の両端の電圧で、所定の時間１２を経過した時入力電圧と同じ電圧３２Ｖとなる。
【００１６】（ｄ）はＤＣ／ＤＣコンバータ４の出力電圧で、時間３が経過した時点で設計電圧１８Ｖとなる。（ｅ）はＤＣ／ＤＣコンバータ４の両端の電圧で時間７が経過した時点で設計電圧１８Ｖとなる。
【００１７】（ｆ）はトランジスタＱ１のゲートとソース間の電圧で、閾値を超えた時点でオンとなる。
【００１８】（ｇ）はトランジスタＱ１のドレイン−ソースを流れる電流で、所定の時間１２を経過しトランジスタＱ１がオンとした時から流れはじめる。（ｈ）はスイッチＳＷをオンとしたときに回路に流れる全流入電流Ｉinである。」（【００１２】〜【００１８】の記載。）
ｄ）「【００２５】図５において、トランジスタＱ１のゲート電極にはトランジスタＱ２のドレイン端子が接続され、トランジスタＱ２のゲート電極には抵抗Ｒ８を介してコンデンサＣ４と抵抗Ｒ７の一端が接続されており、コンデンサＣ４の他端は電源の正側に抵抗Ｒ７の他端は負側に接続されており、コンデンサＣ４と抵抗Ｒ７で微分回路を構成している。また、トランジスタＱ２のゲートにはツェナーダイオードＤ１のカソードが接続され、アノード側は負側に接続されている。
【００２６】ここでトランジスタＱ２はゲート・ソース間の最大定格ＶＧＳが２０Ｖ程度の通信用の小電力ＦＥＴで動作スピードの速いものを使用する。抵抗Ｒ８はトランジスタＱ２のゲート保護用で、過電圧防止抵抗として機能する。微分回路の時定数は抵抗Ｒ７とコンデンサＣ４により決定される。このコンデンサＣ４の容量はコンデンサＣ１の５０００μＦ程度の容量に比較して例えば１μＦ程度の小さなものを使用する。
【００２７】
ここで、抵抗Ｒ７の両端電圧をＶＲ７，トランジスタＱ１のゲート・ソース間電圧をＶＱ１ｇｓ，Ｑ２のゲート・ソース間電圧をＶＱ２ｇｓ，Ｑ１のゲートのスレッショルドレベルをＶＱ１ｔｈ（＝約1．5Ｖ），Ｑ２のゲートのスレッショルドレベルをＶＱ２ｔｈ（＝約1．5Ｖ）とし
【００２８】はじめに、Ｒ８をショート、ツェナーダイオードＤ１をオープンと仮定してＶＲ７＝ＶＱ２ｇｓとして考える（図６参照）。
電源スイッチ１が投入されるとＶＲ７＝Ｖｉｎになり、時間の経過と共にＶＲ７（当審注：「ＶＲ７」は「抵抗Ｒ７」の誤記と認める。）の両端電圧は低下
ＶＲ７＞ＶＱ２ｔｈの期間（数十ｍＳ）はＱ２がオンなので、Ｑ１のゲートとソースがショート
【００２９】従って、
ＶＱ１ｇｓ＝０，Ｑ１はオフのまま、ＩＲ１＝Ｉｉｎ
スイッチ１をオンとした後数十ｍＳの時間が経過すると、ＶＲ７＜ＶＱ２ｔｈとなり、Ｑ２がオフ
【００３０】
その頃にはコンデンサＣ１の充電がほぼ完了してＶＣ１は≒Ｖｉｎ
Ｉｉｎはかなり小さく（数Ａ以下）になっていて、
また、ＤＣ／ＤＣコンバータ４の出力が１８Ｖで安定しているので、ＶＱ１ｇｓはＶｃｎｖ１をＲ６とＲ５で分圧することで決まり、
（１８＋ＶＲ１）×Ｒ６／（Ｒ６＋Ｒ５）≒１８×Ｒ６／（Ｒ６＋Ｒ５）＞ＶＱ１ｔｈ
となるので、Ｑ１がオンとなり、
【００３１】ここで、抵抗Ｒ８とツェナーダイオードＤ１を加えて考えると、ダイオードＤ１のツェナー電圧を例えば１２Ｖに設計したとすると、これを超える電圧がＶｉｎに加わってもＶＱ２ＧＳ≦１２Ｖになり、Ｑ２のゲート・ソース間の最大定格は２０Ｖ程度なのでＱ２のゲートが保護されることになる。
【００３２】図７はＶＣ１＝０の状態からスイッチＳＷをオンとした時の図５に示す回路の動作タイミングを示す概念図である。図に示すようにスイッチＳＷオンによりＩｉｎが回路に流れ（ｂ）コンデンサＣ１の両端電圧ＶＣ１が上昇し始める（ａ）。同時にトランジスタＱ２のゲート・ソース間の電圧ＶＧＳが素早く上昇しトランジスタＱ２がオンとなる（ｃ）。トランジスタＱ２がオンの間はトランジスタＱ１はオフなので突入電流はＲ１を流れる。（ｄ）はトランジスタＱ１のゲート・ソース間の電圧ＶＧＳ。（e）はＤＣ／ＤＣコンバータの出力である。その結果、突入電流を数十Ａ以下に抑えることができる。」（【００２５】〜【００３２】の記載。）
ｅ）段落【０００３】の記載を考慮すれば、図５に示される
電子回路３は、コンデンサＣ１を有するスイッチング電源であり、コンデンサＣ１は主電源１に対して並列に接続される
ｆ）段落【００１５】〜【００１８】の記載及び図３より、
Ｖｉｎは入力電圧、Ｉｉｎは全流入電流、ＶＣ１はコンデンサＣ１の両端電圧、Ｖｃｎｖ１はＤＣ／ＤＣコンバータ４の出力電圧
　また、
ＩＲ１は抵抗Ｒ１を流れる電流
　上記下線部及び関連箇所の記載によれば、引用例には、図５に示された突入電流抑止装置として、以下の発明（以下、「引用例記載の発明」という。）が記載されている。
　「主電源からの直流電圧を突入電流抑止手段を介して後段に接続された電子回路に供給するようにした突入電流抑止装置において、前記突入電流抑止手段は、前記主電源と前記電子回路の間に設けられたＤＣ／ＤＣコンバータ４と、このＤＣ／ＤＣコンバータ４の出力端子と前記主電源の負側間に抵抗Ｒ５を介して接続された抵抗Ｒ６と、前記抵抗Ｒ５とＲ６の中間にゲート電極が接続され、前記主電源の負側に直列に接続された抵抗Ｒ１の両端を挟んでソース電極とドレイン電極が接続されたトランジスタＱ１と、このトランジスタＱ１のゲート電極にドレイン電極が前記主電源の負側にソース電極が接続され、ゲート電極が前記主電源の投入の有無を検出するコンデンサＣ４と抵抗Ｒ７からなる微分手段に接続されたトランジスタＱ２を設けたことを特徴とする突入電流抑止装置であり、
　電子回路３は、コンデンサＣ１を有するスイッチング電源であり、コンデンサＣ１は主電源１に対して並列に接続され、
　抵抗Ｒ７の両端電圧をＶＲ７，トランジスタＱ１のゲート・ソース間電圧をＶＱ１ｇｓ，Ｑ２のゲート・ソース間電圧をＶＱ２ｇｓ，Ｑ１のゲートのスレッショルドレベルをＶＱ１ｔｈ（＝約1．5Ｖ），Ｑ２のゲートのスレッショルドレベルをＶＱ２ｔｈ（＝約1．5Ｖ）とした場合、
　電源スイッチ１が投入されるとＶＲ７＝Ｖｉｎ（入力電圧）になり、時間の経過と共に抵抗Ｒ７の両端電圧は低下し、ＶＲ７＞ＶＱ２ｔｈの期間（数十ｍＳ）はＱ２がオンなので、Ｑ１のゲートとソースがショートし、ＶＱ１ｇｓ＝０，Ｑ１はオフのまま、ＩＲ１（抵抗Ｒ１を流れる電流）＝Ｉｉｎ（全流入電流）となり、
　スイッチ１をオンとした後数十ｍＳの時間が経過すると、ＶＲ７＜ＶＱ２ｔｈとなり、Ｑ２がオフとなるが、その頃にはコンデンサＣ１の充電がほぼ完了してＶＣ１（コンデンサＣ１の両端電圧）は≒Ｖｉｎ（入力電圧）になっており、そして、Ｉｉｎ（全流入電流）はかなり小さく（数Ａ以下）になっており、
　また、ＤＣ／ＤＣコンバータ４の出力が１８Ｖで安定しているので、ＶＱ１ｇｓはＶｃｎｖ１（ＤＣ／ＤＣコンバータ４の出力電圧）をＲ６とＲ５で分圧することで決まり、
（１８＋ＶＲ１）×Ｒ６／（Ｒ６＋Ｒ５）≒１８×Ｒ６／（Ｒ６＋Ｒ５）＞ＶＱ１ｔｈ
となるので、Ｑ１がオンとなる、
　突入電流抑止装置。」
第６　当審の判断
１．本願発明１について
（１）対比
　本願発明１と引用例記載の発明とを対比する。 
ア．引用例記載の発明の「電子回路３は、コンデンサＣ１を有するスイッチング電源であり、コンデンサＣ１は主電源１に対して並列に接続」されるものであるから、引用例記載の発明の「コンデンサＣ１」は、本願発明１の「入力コンデンサ」に相当し、引用例記載の発明の「電子回路３」は、本願発明１の「第１入力端子と第２入力端子との間に接続された入力コンデンサを有し、前記第１入力端子と第２入力端子との間に印加される直流入力を電力変換して所望の直流出力を発生させる電力変換装置」に相当する。
イ．引用例記載の発明の「抵抗Ｒ１」は、「突入電流抑止手段」を構成する「主電源の負側に直列に接続された」抵抗であり、電源スイッチ１が投入されてからトランジスタＱ１がオフの期間は「ＩＲ１（抵抗Ｒ１を流れる電流）＝Ｉｉｎ（全流入電流）」となるものであるから、本願発明１の「入力コンデンサの充電経路上に設けられ、前記直流入力が投入された際に前記充電経路に発生する突入電流を抑制するための抵抗」に相当する。
ウ．引用例記載の発明の「トランジスタＱ１」は、「抵抗Ｒ１の両端を挟んでソース電極とドレイン電極が接続された」ものであるから、本願発明１の「前記抵抗と並列接続された半導体素子」に相当する。
エ．引用例記載の発明の「トランジスタＱ２」は、「トランジスタＱ１のゲート電極にドレイン電極が前記主電源の負側にソース電極が接続され」るものであり、「Ｑ２がオン」で、「Ｑ１のゲートとソースがショート」するものであるから、本願発明１の「ｂ接点であり、前記半導体素子の入力端子と制御端子との間に接続されたスイッチ」と、「前記半導体素子の入力端子と制御端子との間に接続されたスイッチ」である点で共通するといえる。
オ．引用例記載の発明は、「電源スイッチ１が投入されるとＶＲ７＝Ｖｉｎ（入力電圧）になり、時間の経過と共に抵抗Ｒ７の両端電圧は低下し、ＶＲ７＞ＶＱ２ｔｈの期間（数十ｍＳ）はＱ２がオンなので、Ｑ１のゲートとソースがショートし、ＶＱ１ｇｓ＝０，Ｑ１はオフのまま、ＩＲ１（抵抗Ｒ１を流れる電流）＝Ｉｉｎ（全流入電流）となり、」「スイッチ１をオンとした後数十ｍＳの時間が経過すると、ＶＲ７＜ＶＱ２ｔｈとなり、Ｑ２がオフとなるが、その頃にはコンデンサＣ１の充電がほぼ完了してＶＣ１（コンデンサＣ１の両端電圧）は≒Ｖｉｎ（入力電圧）になっており、そして、Ｉｉｎ（全流入電流）はかなり小さく（数Ａ以下）に」なるものであるから、引用例記載の発明の「スイッチ１をオンとした後数十ｍＳの時間が経過する」まで「Ｑ２がオン」であることは、本願発明１の「前記直流入力の投入から前記突入電流が消失した状態になるまでの所定期間が経過するまで前記スイッチを閉成させ」ることに相当する。
　引用例記載の発明の「スイッチ１をオンとした後数十ｍＳの時間が経過すると、ＶＲ７＜ＶＱ２ｔｈとなり、Ｑ２がオフとなる」ことは、本願発明１の「前記所定期間の経過後、前記スイッチを開放させる」ことに相当する。
　また、引用例記載の発明が「Ｑ２がオフ」となったとき、「ＤＣ／ＤＣコンバータ４の出力が１８Ｖで安定しているので、ＶＱ１ｇｓはＶｃｎｖ１（ＤＣ／ＤＣコンバータ４の出力電圧）をＲ６とＲ５で分圧することで決まり、」「（１８＋ＶＲ１）×Ｒ６／（Ｒ６＋Ｒ５）≒１８×Ｒ６／（Ｒ６＋Ｒ５）＞ＶＱ１ｔｈとなるので、Ｑ１がオンとなる」ことは、本願発明１の「前記スイッチを開放させると共に、当該スイッチを開放した後に一定の時間をおいて前記半導体素子を導通させる」ことと、「前記スイッチを開放させると共に、前記半導体素子を導通させる」点で共通するといえる。
　そして、引用例記載の発明の「主電源の投入の有無を検出するコンデンサＣ４と抵抗Ｒ７からなる微分手段」は、時間の経過と共に抵抗Ｒ７の両端電圧を低下させトランジスタＱ２オン、オフを制御する制御部といい得るものである。
　したがって、引用例記載の発明の「コンデンサＣ４と抵抗Ｒ７からなる微分手段」は、本願発明１の「前記直流入力の投入から前記突入電流が消失した状態になるまでの所定期間が経過するまで前記スイッチを閉成させ、前記所定期間の経過後、前記スイッチを開放させると共に、当該スイッチを開放した後に一定の時間をおいて前記半導体素子を導通させる制御部」と「前記直流入力の投入から前記突入電流が消失した状態になるまでの所定期間が経過するまで前記スイッチを閉成させ、前記所定期間の経過後、前記スイッチを開放させると共に、前記半導体素子を導通させる制御部」である点で共通するといえる。
　したがって、両者は以下の一致点と相違点とを有する。 
　
〈一致点〉
「第１入力端子と第２入力端子との間に接続された入力コンデンサを有し、前記第１入力端子と第２入力端子との間に印加される直流入力を電力変換して所望の直流出力を発生させる電力変換装置であって、
　前記入力コンデンサの充電経路上に設けられ、前記直流入力が投入された際に前記充電経路に発生する突入電流を抑制するための抵抗と、
　前記抵抗と並列接続された半導体素子と、
　前記半導体素子の入力端子と制御端子との間に接続されたスイッチと、
　前記直流入力の投入から前記突入電流が消失した状態になるまでの所定期間が経過するまで前記スイッチを閉成させ、前記所定期間の経過後、前記スイッチを開放させると共に、前記半導体素子を導通させる制御部と　を備える、
　電力変換装置。」
〈相違点〉
〈相違点１〉
　本願発明１は、「スイッチ」が「ｂ接点」であるのに対し、引用例記載の発明は、「スイッチ」は、ＶＱ２ｔｈ以上の電圧が印加された場合にオンとなる「トランジスタＱ２」である点。
〈相違点２〉
　本願発明１は、「半導体素子の入力端子と制御端子との間に接続された」「スイッチを開放した後に一定の時間をおいて前記半導体素子を導通させる」のに対し、引用例記載の発明は、「スイッチ」である「トランジスタＱ２」がオフとなると、「半導体素子」である「トランジスタＱ１」がオンとなるものであるが、「トランジスタＱ２」がオフした後に一定の時間をおいて「トランジスタＱ１」がオンとなるものではない点。
〈相違点３〉
　本願発明１は、「半導体素子は寄生容量を有する」ものであるのに対し、引用例記載の発明の「トランジスタＱ１」は寄生容量を有するとはされていない点。
（２）判断
〈相違点２〉についての判断
　上記相違点２について検討すると、引用例及び原査定の拒絶の理由に引用された特開２００４−１１２９８７号公報（以下、「引用例２」という。）、実願平３−６９４８９号（実開平５−２３７９３号）のＣＤ−ＲＯＭ（以下、「引用例３」という。）、特開２００５−３３９４０号公報（以下、「引用例４」という。）のいずれの文献にも、「半導体素子の入力端子と制御端子との間に接続された」「スイッチを開放した後に一定の時間をおいて前記半導体素子を導通させる」構成は記載されていない。
　また、当該構成は、本願出願前において周知技術であるともいえない。
　したがって、本願発明１は、当業者であっても、引用例記載の発明、引用例２〜４に記載された技術的事項に基づいて容易に発明できたものであるとはいえない。
２．請求項２〜４について
　請求項２〜４は請求項１を引用する請求項であり、本願発明２〜４も、本願発明１の「半導体素子の入力端子と制御端子との間に接続された」「スイッチを開放した後に一定の時間をおいて前記半導体素子を導通させる」構成と同一の構成を備えるものであるから、本願発明１と同じ理由により、引用例記載の発明、引用例２〜４に記載された技術的事項に基づいて容易に発明できたものとは認められない。
３．請求項５，６について
　本願発明５は本願発明１を「突入電流抑制回路」として、本願発明６は本願発明１を「突入電流抑制方法」として記載したものであるから、本願発明１と同様の理由により、引用例記載の発明、引用例２〜４に記載された技術的事項に基づいて容易に発明できたものとは認められない。
第７　原査定について
　審判請求時の補正により、補正後の本願発明１〜６は「半導体素子の入力端子と制御端子との間に接続された」「スイッチを開放した後に一定の時間をおいて前記半導体素子を導通させる」という事項を有するものとなっており、当業者であっても、拒絶査定において引用された引用例１〜４に基づいて、容易に発明できたものとは認められない。したがって、原査定を維持することはできない。
第８　むすび
　以上のとおり、原査定の理由によっては、本願を拒絶することはできない。
　また、他に本願を拒絶すべき理由を発見しない。
　よって、結論のとおり審決する。